【事件の表示】
　特願２００９−１２４７７４号「バックライトアセンブリ」拒絶査定不服審判事件〔平成２１年１２月　３日出願公開、特開２００９−２８３４６５号〕について、次のとおり審決する。
【結　論】
　本件審判の請求は、成り立たない。
【理　由】
第１ 手続の経緯
　本願は、平成２１年５月２２日（パリ条約による優先権主張 ２００８年５月２３日 大韓民国）の出願であって、平成２５年６月２１日付けで拒絶の理由が通知され、これに対して、同年９月２４日に意見書及び手続補正書が提出されたが、平成２６年２月１７日付けで拒絶査定がなされ、同査定の謄本は同年２月２５日に請求人に送達された。これに対して、同年６月２５日に拒絶査定不服審判の請求がなされ、同時に手続補正がなされたものである。
第２ 平成２６年６月２５日にされた手続補正についての補正の却下の決定
［補正の却下の決定の結論］
　平成２６年６月２５日にされた手続補正（以下「本件補正」という。）を却下する。
［理由］
１ 本件補正の内容
（１）本件補正後の特許請求の範囲の記載
本件補正により、特許請求の範囲の請求項１の記載は、次のとおり補正された。（下線部は、補正箇所を示す。）
「収納底部、及び前記収納底部の端部から上側に延長された収納側部を含む収納容器と、
　前記収納容器内に第１方向に沿って並列に配置され、その各々が、一側から他側に行くにつれて厚さが減少するくさび形状を有する導光板と該導光板の側面と対向するように配置された光源ユニットとを含む複数の導光ブロックと、
　
前記
　前記光源ユニットは少なくとも一つの発光ユニットが配置された駆動基板を含み、前記発光ユニットは前記導光板の側面と対向するように配置され、
　前記導光板は、
　入光面から
前記
　前記導光ボディ部の入光面から突出し前記発光ユニットと対向するように配置された光導入ボディ部とを含
み、
　
前記導光ボディ部は、前記入光面の一辺及び前記対向面の一辺を接続して光が出射される出射面と前記出射面と対向して光を反射させる反射面とを含み、
　
前記出射面には、前記第１方向に沿って長く延長され前記第１方向と実質的に直交する第２方向に沿って並列に配置された複数の第１プリズムパターンが形成され、
　
前記反射面には前記第２方向に沿って長く延長され前記第１方向に沿って並列に配置された複数の第２プリズムパターンが形成され、
　
前記複数の第２プリズムパターンは前記光導入ボディ部の下段面にも形成される
（２）本件補正前の特許請求の範囲
　本件補正前の、平成２５年９月２４日の手続補正による特許請求の範囲の請求項１の記載は次のとおりである。
「収納底部、及び前記収納底部の端部から上側に延長された収納側部を含む収納容器と、
　前記収納容器内に第１方向に沿って並列に配置され、その各々が、一側から他側に行くにつれて厚さが減少するくさび形状を有する導光板と該導光板の側面と対向するように配置された光源ユニットとを含む複数の導光ブロックと、
　前期収納容器の外側面に配置され、前記導光ブロックの光源ユニットを領域輝度制御（ｌｏｃａｌ　ｄｉｍｍｉｎｇ）方式で各々個別に駆動させて発光させる光源駆動ユニットとを有し、
　前記光源ユニットは少なくとも一つの発光ユニットが配置された駆動基板を含み、前記発光ユニットは前記導光板の側面と対向するように配置され、
　前記導光板は、
　入光面から前期入光面と対向する対向面に行くにつれて厚さが減少するくさび形状を有する導光ボディ部と、
　前記導光ボディ部の入光面から突出し前記発光ユニットと対向するように配置された光導入ボディ部とを含むことを特徴とするバックライトアセンブリ。」
（３）上記補正のうち、「前期」を「前記」とする補正は、明らかな誤記を訂正するものであるから、特許法第１７条の２第５項第３号の誤記の訂正を目的とするものに該当する。また、上記補正のうち、「前記導光ボディ部は、…複数の第２プリズムパターンが形成され、前記複数の第２プリズムパターンは前記光導入ボディ部の下段面にも形成される」との事項を付加する補正は、補正前の請求項１に記載した発明を特定するために必要な事項である「導光ボディ部」及び「光導入ボディ部」の内容について、上記のとおり限定を付加するものであって、その補正前の当該請求項に記載された発明とその補正後の当該請求項に記載された発明の産業上の利用分野及び解決しようとする課題が同一であるから、同法同条同項第２号の特許請求の範囲の減縮を目的とするものに該当する。
２ 補正の適否
　そこで、補正後の請求項１に記載された発明（以下「本願補正発明」という。）が特許出願の際独立して特許を受けることができるものであるか否か（特許法第１７条の２第６項において準用する同法第１２６条第７項の規定に適合するか否か）について以下に検討する。
（１）本願補正発明
　本願補正発明は、上記１（１）に記載したとおりのものである。
（２）刊行物の記載事項
ア．刊行物１
（ア）原査定の拒絶の理由で引用された、本願の優先権主張の日前に頒布された刊行物である、特開２００７−２１４１４２号公報（以下「引用例１」という。）には、図面とともに、次の記載がある。
（ａ）「【００２４】本発明は上記実状に鑑みてなされたもので、その目的は、大画面液晶パネルに適用しても薄型、軽量で、高輝度、かつ輝度の面内均一性が高い照明装置を提供することにある。」
（ｂ）「【００３９】（実施例１）図１は本発明の照明装置、及びこれを用いた表示装置の一例を示す一部概略断面図である。本表示装置は光の透過光量を調節することで画像を表示する液晶パネル２００とその背面に配置した照明装置１００とから構成される。」
（ｃ）「【００４８】…照明装置１００は、導光体１０３と、導光体１０３の一側面(端面)に配置した光源１０１と、…から構成される単位照明装置１０００（図中では１０００ａ、１０００ｂ、１０００ｃ）を複数個、整列配置し、その表面側にその全面を覆うように配置した拡散板１０５とから構成される。」
（ｄ）「【００５４】次に本照明装置１００を構成する単位照明装置についてより具体的に説明する。図２は照明装置１００を構成する単位照明装置１０００の概要を示す斜視図である。
【００５５】単位照明装置１０００は導光体１０３と、導光体１０３の１側面（端面）１０３１に配置され、その側面（端面）長さに対応した発光長を有する光源１０１と、…から構成される。導光体１０３は上述の通り、一対の向かい合う端面１０３１と端面１０３２での厚さが異なる断面形状が長方形をした板状の透明体から構成される。また、光源１０１は導光体１０３の厚さの異なる一対の向かい合う端面のうち、厚さが大きい方の端面１３０１に近接した位置であって、複数の導光体１０３を接合した際、障害とならない位置、すなわち端面１０３１の下部領域（液晶パネル２００とは反対側の領域）に配置する。」
（ｅ）「【００５６】光源１０１は小型、高発光効率、低発熱といった条件を満たすものを用いるとよく、例えば冷陰極管や熱陰極管等の蛍光ランプ、或いはＬＥＤ（Light Emitting Diodes)を複数個整列配置したものを使用することができる。」
（ｆ）「【００６８】図４は導光体１０３の一例を示す一部断面図である。図４に例示する導光体１０３はその表面１０３Ｃが平坦な面で構成され、その裏面は略平坦な主面１０３Ｂ、及び複数の三角溝の一辺に形成された平坦な微小傾斜反射面１０３Ａとで構成される。導光体１０３の裏面の主面１０３Ｂは光源１０１から出射し、導光体に入射した光３００を導光体の表面１０３Ｃとの間で全反射により伝播し、内部に閉じこめるよう構成される。また、導光体１０３の裏面の微小傾斜反射面１０３Ａは導光体１０３内を伝播する光の一部を、その反射角度を変えることで導光体１０３の表面１０３Ｃから出射させる機能を有する。微小傾斜反射面１０３Ａはアルミニウム、銀等の金属薄膜、或いは誘電体多層膜により鏡面反射面を構成してもよいが、格別な反射部材を付加して反射面を構成しなくても、空気とアクリル樹脂との屈折率差による反射により十分に機能を果たすことができる。
【００６９】…導光体裏面の微小傾斜反射面１０３Ａはその長軸方向を光源１０１の長軸方向と平行になるように形成し、微小傾斜反射面１０３Ａの平均ピッチＰ＝２００μｍ、平均高さｈ＝１０μｍ、導光体１０３の表面１０３Ｃに対する平均傾斜角度θ＝４０°とした。」
（ｇ）「【００７０】また、導光体１０３裏面の主面１０３Ｂを導光体１０３の表面１０３Ｃに対して傾斜させることで、導光体１０３の光源１０１側の端面１０３１の厚さに対し、これと向かい合う端面１０３２の厚さを薄くなるように構成した。」
（ｈ）「【００９６】 図１０は本発明の照明装置、及び表示装置の他の実施例を示す一部概略断面図であり、図１１は本実施例の照明装置１００の一部概略断面図、図１２は本実施例の単位照明装置１０００を構成する導光体の概略斜視図である。
【００９７】本実施例は（実施例１）で説明した照明装置１００の一部を変形したもので、上記実施例と同様な機能を有する部分については同じ符号をつけ、同一部分については詳細な説明は省略する。
【００９８】図１０、及び図１１に示すとおり、本実施例は実施例１（図１）で説明した照明装置において、単位照明装置１０００（１０００ａ〜１０００ｃ）を構成する複数の導光体１０３(１０３ａ〜１０３ｃ)の光源光が入射する部分が、導光体接合部分よりも突出し、この突出部１０３Ｌ及び光源１０１(１０１ｂ、１０１ｃ)が隣り合う導光体の裏面に配置される構造となっている。
【００９９】…導光体１０３は図１２に示す通り、裏面側（液晶パネル２００と反対側）の幅Ｌｒが、表面側（液晶パネル側）の幅Ｌｓよりも長くなっており、導光体１０３の光源光が入射する端面１０３１１と、隣り合う導光体との接合端面１０３１２とで段差が形成されている。
【０１００】導光体１０３の突出部１０３Ｌは、表面、裏面ともに略平面となっており、端面１０３１１から入射する光源光が全反射を繰り返しながら伝播する構造となっている。また、突出部１０３Ｌを除いた部分は実施例１（図４〜図６）で説明した導光体と同様、その表面は平坦な面で構成され、裏面には複数の微小傾斜反射面が構成される。…
【０１０３】…導光体１０３の裏面の主面は導光体１０３の表面に対して傾斜している。」
（ｉ）「【０３２６】（実施例１０）次に本発明に係る他の照明装置及びこれを用いた表示装置の実施例を図面を用いて説明する。図２７は本発明の照明装置、及びこれを用いた表示装置の概略構成を示す一部斜視図であり、図２８は本実施例の表示装置の全体構成を示したものである。
【０３２７】本実施例は液晶パネル２００と、液晶パネル２００の表示面を独立に面分割照明できる照明装置１００とから構成される。すなわち、液晶パネル２００の表示面を上下方向に３等分した領域ａ〜ｃを、照明装置１００を構成する３つの単位照明装置１０００ａ〜１０００ｃによりそれぞれ独立に照明するよう構成し、液晶パネル２００の表示動作に対応して、照明装置１００を構成する３つの単位照明装置１０００ａ〜１０００ｃの点灯、消灯を個別に制御するように構成したものである。
【０３２８】本実施例の照明装置１００は基本的に上記実施例で説明したものを用いると良い。ここでは以下、光源として冷陰極蛍光ランプを用いる場合について説明するが、本発明はこれに限定されるものではない。また、上記実施例と共通な部分については詳細な説明は省略する。
【０３２９】…照明装置１００には電源回路５、照明ドライバ（照明制御回路）６が接続される。また、…照明ドライバ（照明制御回路）６には液晶コントローラ１が接続される。
【０３３８】照明ドライバ６は電源回路５、及び単位照明装置１０００ａ〜１０００ｃの光源１０１ａ〜１０１ｃに接続され、動画表示の場合に発生するぼけを防止するために、照明装置１００を構成する単位照明装置１０００ａ〜１０００ｃの点灯、消灯を個別に制御するものである。」　
（イ）以上の記載事項及び図面から、引用例１には、以下の技術的事項が記載されていると認められる。
（ｊ）照明装置１００は、液晶パネル２００の背面に配置されたものであること。〔（ａ），（ｂ），図１〕
（ｋ）照明装置１００は、導光体１０３と光源１０１を含む複数の単位照明装置１０００から構成されていること。〔（ｃ），図１〕
（ｌ）複数の単位照明装置１０００は、光源１０１の長手軸方向と垂直な方向に沿って整列配置されており、単位照明装置１０００を構成する導光体１０３は、その裏面の主面１０３Ｂをその表面１０３Ｃに対し傾斜させることにより、光源１０１が配置される側の端面１０３１の厚さに対し、これと向かい合う端面１０３２の厚さが薄くなるように構成されていること。〔（ｃ），（ｄ），（ｇ），図１，図２，図４，図７〕
（ｍ）照明装置１００には、各単位照明装置１０００の光源１０１の点灯、消灯を個別に制御する照明ドライバが接続されていること。〔（ｉ），図２７，図２８〕
（ｎ）光源１０１は、ＬＥＤを複数個整列配置したものを使用することができること。〔（ｅ）〕
（ｏ）導光体１０３は、隣り合う導光体との接合端面１０３１２から光源光が入射する端面１０３１１まで突出する突出部１０３Ｌと突出部１０３Ｌを除いた部分から構成されており、突出部１０３Ｌを除いた部分の裏面の主面をその表面に対し傾斜させることにより、隣り合う導光体との接合端面１０３１２の位置の厚さに対し、これと向かい合う端面１０３２の厚さが薄くなるように構成されていること。〔（ｈ），図１０〜１２〕
（ｐ）突出部１０３Ｌを除いた部分の液晶パネル側の表面は、光が出射する表面とされ、裏面は反射面とされており、光が出射する表面は略平坦に形成され、裏面には、複数の三角溝の一辺に形成された微小傾斜反射面１０３Ａが平均ピッチＰ＝２００μｍで光源１０１の長軸方向と平行となるように形成されていること。また、突出部１０３Ｌの裏面は略平坦となっていること。〔（ｆ），（ｈ），図４，図１１，図１２〕
（ウ）これらのことから、本願補正発明の記載ぶりに倣って整理すると、引用例１には、次の発明（以下「引用発明」という。）が記載されていると認められる。
「光源１０１の長手軸方向と垂直な方向に沿って整列配置され、裏面を表面に対し傾斜させることにより、光源が配置される側の端面の厚さに対し、これと向かい合う端面の厚さが薄くなるように構成された導光体１０３と、該導光体１０３と光源１０１とを含む複数の単位照明装置と、
前記単位照明装置の光源の点灯、消灯を個別に制御する照明ドライバとを有し、
　前記光源は複数のＬＥＤが使用され、前記ＬＥＤは前記導光体１０３の端面と対向するように配置され、
　前記導光体１０３は、隣り合う導光体との接合端面１０３１２から光源光が入射する端面１０３１１まで突出する突出部１０３Ｌと、裏面を表面に対し傾斜させることにより、前記隣り合う導光体との接合端面１０３１２の位置の厚さに対し、これと向かい合う端面１０３２の厚さが薄くなるように構成された突出部１０３Ｌを除いた部分とから構成され、
　前記突出部１０３Ｌを除いた部分は、液晶パネル側の光が出射される表面と反射面とされる裏面とを有し、
　前記光が出射される表面は略平坦に形成され、
　前記反射面とされる裏面には、光源１０１の長軸方向と平行となるように、平均ピッチＰ＝２００μｍで、その一辺に微小傾斜反射面１０３Ａが形成された複数の三角溝が形成され、
　前記突出部１０３Ｌの裏面は略平坦に形成される液晶パネルの背面に配置され、照明ドライバが接続されている照明装置」
イ．刊行物２
（ア）同じく引用された、本願の優先権主張の日前に頒布された刊行物である、特開２００７−２４０８５８号公報（以下「引用例２」という。）には、図面とともに次の技術的事項が記載されている。
（イ）「【請求項１】短波長光を放射する短波長光源と、前記短波長光を励起光として可視光を発光する波長変換手段とを備えた少なくとも１以上の照明手段を、複数の照明領域に対応して配列し、映像信号に応じて光量を調整する光変調素子に対して前記可視光を照明光として照射する照明装置において、
  前記映像信号の輝度情報に基づいて前記複数の照明領域ごとに前記映像信号の輝度の頻度分布を算出する頻度分布算出手段と、
  算出された前記頻度分布に応じて前記１以上の照明手段の短波長光源から放射される短波長光の光量を変調する照明変調手段と
  をさらに備えたことを特徴とする照明装置
【請求項２】
  請求項１に記載の照明装置において、
  前記短波長光源は、紫外線もしくは近紫外線を発光する発光ダイオードであることを特徴とする照明装置。
【請求項３】
  請求項１または２に記載の照明装置において、
  前記波長変換手段は、凹面形状の反射面に設けられた波長変換要素で形成されることを特徴とする照明装置。
【請求項４】
  請求項３に記載の照明装置において、
  前記照明変調手段は、前記頻度分布に応じて前記光量をパルス幅変調制御することを特徴とする照明装置。
【請求項５】
  請求項４に記載の照明装置において、
  前記照明変調手段は、変調をしないときの光量を１とした場合に、０．３〜１．２倍の光量となるようにパルス幅変調制御することを特徴とする照明装置。」
（ウ）「【００３５】図６は、…ＬＥＤ素子４２の配置を示した図である。ＬＥＤ素子４２は、…モールドレンズで覆われた構成のものを複数個（図６では５個）有するＬＥＤパッケージ基板４４を短波長光源として利用する。」
ウ．刊行物３
（ア）同じく引用された、本願の優先権主張の日前に頒布された刊行物である、特開２００６−７３４５８号公報（以下「引用例３」という。）には、図面とともに次の技術的事項が記載されている。
（イ）「【請求項１】導光板と、該導光板の入光面に配置された点状光源とを有する面状照明装置において、
  前記点状光源からの光を反射する反射手段を備え、該反射手段は、少なくともその一部が前記点状光源の背面に直接対向していることを特徴とする面状照明装置。
【請求項２】前記点状光源は回路基板に実装され、該回路基板は、前記導光板の出射面または反射面に平行に配置されていることを特徴とする請求項１に記載の面状照明装置。」
エ．刊行物４
（ア）同じく引用された、本願の優先権主張の日前に頒布された刊行物である、特開平１０−２８２３４２号公報（以下「引用例４」という。）には、図面とともに次の技術的事項が記載されている。
（イ）「【請求項１】出射面、それに対向する底面、及び出射面と底面間の側端面からなる入射面を有する板状物よりなり、前記の底面に入射面に沿う方向の斜面からなる凸部又は凹部を周期的に有し、その斜面が底面との交点と頂点を結ぶ直線に基づいて長辺面と短辺面からなると共に、その長辺面の出射面に対する投影面積が短辺面のそれの３倍以上であり、かつ長辺面が凸部の場合には入射面側に、凹部の場合には入射面に対向する側端側に位置し、しかも前記の出射面に、底面の凸部又は凹部とは交差する方向の微細プリズムの配列構造を有することを特徴とする導光板。」
（ウ）「【００１１】本発明による導光板の例を、図１〜図４に示した。また、底面における凸部又は凹部の例を図５（ａ）〜（ｄ）、図６（ａ）〜（ｄ）に示した。図１〜図４において、１１が微細プリズムの配列構造を有する出射面、１２、１６、１７、１８が底面、１３が入射面、１４が側面、１５が入射面１３に対向する側端部である。」
オ．刊行物５
（ア）新たに引用する、本願の優先権主張の日前に頒布された刊行物である、独国特許出願公開第１０２００４０４６２５６号明細書（以下「引用例５」という。）には、図面とともに次の技術的事項が記載されていると認められる。
（イ）「くさび形状からなる導光体(図面の符号１参照)において、出射面（同符号６参照）の光源側端面から突出した部分（符号８参照）の背面（同符号４参照）に階段状の傾斜面（同符号４３参照）を設けた構成」（特に、［００７４］−［００７７］、ＦＩＧ４Ａ〜４Ｃ参照）
（３）引用発明との対比
ア．本願補正発明と引用発明とを対比する。
（ア）引用発明の「導光体１０３」は、「光源１０１の長手軸方向と垂直な方向に沿って整列配置され、裏面を表面に対し傾斜させることにより、光源が配置される側の端面の厚さに対し、これと向かい合う端面の厚さが薄くなるように構成されて」おり、これと引用例１の図面を合わせみれば、本願補正発明の「第１方向に沿って並列に配置され、その各々が、一側から他側に行くにつれて厚さが減少するくさび形状を有する」、「導光板」に相当するといえる。
（イ）引用発明の「光源」は、その技術的意義からみて、本願補正発明の「光源ユニット」に相当するといえるところ、引用発明の「単位照明装置」は、「複数」あって、「導光体１０３」と「光源１０１」とを含んでいるから、引用例１の図面を合わせみれば、引用発明の「導光体１０３と光源１０１とを含む複数の単位照明装置」は、本願補正発明の「導光板の側面と対向するように配置された光源ユニットとを含む複数の導光ブロック」に相当するといえる。
（ウ）引用発明の「光源」は、照明ドライバにより点灯、消灯を個別に制御されるものであるから、引用発明の「単位照明装置の光源の点灯、消灯を個別に制御する照明ドライバ」と本願補正発明の「収納容器の外側面に配置され、前記導光ブロックの光源ユニットを領域輝度制御（ｌｏｃａｌ　ｄｉｍｍｉｎｇ）方式で各々個別に駆動させて発光させる光源駆動ユニット」とは、「導光ブロックの光源ユニットを各々個別に駆動させる光源駆動ユニット」の限度で共通するといえる。
（エ）引用発明の「ＬＥＤ」は、本願補正発明の「発光ユニット」に相当するといえるところ、引用発明の「光源は複数のＬＥＤが使用され、前記ＬＥＤは前記導光体１０３の端面と対向するように配置され」ていることと、本願補正発明の「光源ユニットは少なくとも一つの発光ユニットが配置された駆動基板を含み、前記発光ユニットは前記導光板の側面と対向するように配置され」ていることとは、「光源ユニットは少なくとも一つの発光ユニット」を含み、「前記発光ユニットは前記導光板の側面と対向するように配置され」ていことの限度で共通するといえる。
（オ）引用発明の「突出部１０３Ｌ」と「突出部１０３Ｌを除いた部分」は、導光体において、前者が、「隣り合う導光体との接合端面１０３１２から光源光が入射する端面１０３１１まで突出する」ものであり、後者が、「裏面を表面に対し傾斜させることにより、隣り合う導光体との接合端面１０３１２の位置の厚さに対し、これと向かい合う端面１０３２の厚さが薄くなるように構成され」たものであり、これと引用例１の図面を合わせみれば、本願補正発明の「入光面から前記入光面と対向する対向面に行くにつれて厚さが減少するくさび形状を有する導光ボディ部」と「前記導光ボディ部の入光面から突出し前記発光ユニットと対向するように配置された光導入ボディ部」とに相当するものといえる。
（カ）引用発明の「突出部１０３Ｌを除いた部分」において、「液晶パネル側の光が出射される表面」と「反射面とされる裏面」とは、引用例１の図面を合わせみれば、本願補正発明の「導光ボディ部」における「前記入光面の一辺及び前記対向面の一辺を接続して光が出射される出射面」と「前記出射面と対向して光を反射させる反射面」とに相当するものといえる。
（キ）引用発明の「光源１０１の長軸方向と平行となる」方向及び当該方向と直交する方向は、引用例１の図面を合わせみれば、本願補正発明における「第２の方向」及び「第１の方向」に相当するものといえるところ、引用発明の「その一辺に微小傾斜反射面１０３Ａが形成された複数の三角溝」は、当該方向と平行となるように、平均ピッチＰ＝２００μｍで形成されているから、当該方向と直交する方向に沿って並列に配置されたものといえる。
　そうすると、引用発明の「光源１０１の長軸方向と平行となるように、平均ピッチＰ＝２００μｍで、その一辺に微小傾斜反射面１０３Ａが形成された複数の三角溝」は、本願補正発明の「前記第２方向に沿って長く延長され前記第１方向に沿って並列に配置された複数の第２プリズムパターン」に相当するものといえる。
（ク）引用発明の「液晶パネルの背面に配置され、照明ドライバが接続されている照明装置」は、本願補正発明の「バックライトアセンブリ」に相当するといえる。
イ．以上を総合すれば、本願補正発明と引用発明との一致点及び相違点は、次のとおりである。
【一致点】
　第１の方向に沿って並列に配置され、その各々が、一側から他側に行くにつれて厚さが減少するくさび形状を有する導光板と該導光板の側面と対向するように配置された光源ユニットとを含む複数の導光ブロックと、
　前記導光ブロックの光源ユニットを各々個別に駆動させて発光させる光源駆動ユニットとを有し、
　前記光源ユニットは少なくとも一つの発光ユニットを含み、前記発光ユニットは前記導光板の側面と対向するように配置され、
　前記導光板は、
入光面から前記入光面と対向する対向面に行くにつれて厚さが減少するくさび形状を有する導光ボディ部と、
　前記導光ボディ部の入光面から突出し前記発光ユニットと対向するように配置された光導入ボディ部とを含み、
　前記導光ボディ部は、前記入光面の一辺及び前記対向面の一辺を接続して光が出射される出射面と前記出射面と対向して光を反射させる反射面とを含み、
　前記反射面には前記第２方向に沿って長く延長され前記第１方向に沿って並列に配置された複数の第２プリズムパターンが形成されるバックライトアセンブリ。
【相違点１】
　本願補正発明では、複数の導光ブロックが、「収納底部、及び前記収納底部の端部から上側に延長された収納側部を含む収納容器」の「収納容器内」に配置され、光源駆動ユニットが、「収納容器の外側に配置され」ているのに対して、引用発明では、それらがどこに配置されているか特定されていない点。
【相違点２】
　本願補正発明では、光源駆動ユニットが光源ユニットを「領域輝度制御（ｌｏｃａｌ　ｄｉｍｍｉｎｇ）方式」で発光させるものであるのに対して、引用発明では、領域輝度制御方式で発光させるものか特定されていない点。
【相違点３】
　発光ユニットが、本願補正発明では、「駆動基板」に配置されているのに対して、引用発明では、そのような特定がされていない点。
【相違点４】
　本願補正発明では、「出射面には、第１方向に沿って長く延長され前記第１方向と実質的に直交する第２方向に沿って並列に配置された複数の第１プリズムパターンが形成され」ているのに対して、引用発明では、光が出射される表面は略平坦に形成されている点。
【相違点５】
　本願補正発明では、「複数の第２プリズムパターンは光導入ボディ部の下段面にも形成され」ているのに対して、引用発明では、突出部１０３Ｌの裏面は略平坦に形成されている点。
（４）判断
　以下、相違点１ないし５について検討する。
ア．相違点１について
　引用発明は、液晶表示装置の液晶パネルの背面に配置される照明装置等に適用されるものであるところ（上記（２）ア（ａ）（ｂ））、このような照明装置は、筐体等に収容されていることが普通であって、そのような筐体等の構成として、「収納底部、及び前記収納底部の端部から上側に延長された収納側部を含む構造のものは、本願の優先権主張の日前に周知技術といえる（必要であれば、引用例２、特開２００７−３３５３７１号公報、特開２００６−２５３１１６号公報参照）。また、光源を駆動するためのユニットを筐体等の外側に配置することも本願の優先権主張の日前に周知技術といえる（必要であれば、特開２００７−３３５３７１号公報、特開２００６−２５３１１６号公報参照）。
　そうすると、引用発明において、かかる周知技術を参考にして、相違点１に係る本願補正発明の構成とすることは、当業者が容易に想到し得たことである。
イ．相違点２について
　引用発明における「照明ドライバ」は、単位照明装置のＬＥＤ等に対して、点灯、消灯を個別に制御できるものであるから、少なくとも領域ごとに発光させる制御と発光させない制御ができるといえる。
　他方、本願明細書の段落【００２３】の記載によれば、一部の領域にある光源ユニットを発光させないように光源駆動ユニットを制御することも本願補正発明における領域輝度制御方式に含まれることが理解できる。
　そうすると、本願補正発明における領域輝度制御方式には、領域ごとに発光させる制御と発光させない制御を行う構成も含まれると理解することができるから、その限りにおいて、引用発明における照明ドライバによる制御と実質的な差異はないということができる。すなわち、相違点２は実質的な相違点ではないということができる。
　仮に、実質的な相違点であるとした場合でも、本願補正発明と同一の技術分野であると認められる液晶表示装置のバックライトの光源ユニットの制御方式として、領域輝度制御（ｌｏｃａｌ　ｄｉｍｍｉｎｇ）方式は、本願補正発明の出願前に周知技術といえるから（必要であれば、引用例２、特開２００７−２９３３３９号公報、特開２００４−２６５６３５号公報参照）、引用発明において、かかる周知技術を採用し、相違点２に係る本願補正発明の構成とすることは当業者が容易に想到し得たことである。
ウ．相違点３について
　ＬＥＤは基板上に配置されることが普通である（必要であれば、引用例２、引用例３及び上記イに例示する周知技術参照）。引用発明において、光源としてＬＥＤを使用する場合に、当該ＬＥＤを基板上に配置し、相違点３に係る本願補正発明の構成とすることは当業者が容易に想到し得たことである。
エ．相違点４について
　引用例４には、上記（２）エの記載事項と図１を合わせみれば、引用発明における導光体と同様なくさび形状からなる導光体において、底面（本願補正発明の反射面に相当）に入射面に沿う方向（同第２の方向に相当）の斜面からなる凸部又は凹部（同第２のプリズムパターンに相当）を周期的に形成する点に加え、出射面（同出射面に相当）に底面の凸部又は凹部とは交差する方向（同第１の方向に相当）の微細プリズム（同第１のプリズムパターンに相当）を形成する技術的事項が記載されていると認められる。
　引用発明と引用例４に記載のものは、導光体の形状に加え、光源光の有効利用、面内均一性を向上させるといった課題の点でも共通するものであるから（引用例１の【００２０】〜【００２４】、引用例４の【０００６】【０００８】等参照）、引用発明において、引用例４に記載の技術的事項を適用し、相違点４に係る本願補正発明の構成とすることは当業者が容易に想到し得たことである。
オ．相違点５について
　引用例５には、上記（２）オ（イ）のとおり、引用発明における導光体と同様なくさび形状からなる導光体(図面の符号１参照)において、出射面（同符号６参照）の光源側端面から突出した部分（符号８参照）の背面（同符号４参照）に階段状の傾斜面（同符号４３参照）を設けた構成が記載されているところ、かかる階段状の傾斜面は本願補正発明における第２のプリズムパターンに相当するものといえる。
　引用発明と引用例５に記載のものは、導光体の形状の点に加えて、面内均一性を向上させるといった課題の点でも共通するものであるから（引用例５の［０００６］等参照）、引用発明に、引用例５に記載の技術的事項を適用し、相違点５に係る本願補正発明の構成とすることは当業者が容易に想到し得たことである。
カ．そして、これらの相違点を総合的に勘案しても、本願補正発明の奏する作用効果は、引用発明、引用例４、引用例５に記載されている事項、及び周知技術から予測される範囲内のものにすぎず、格別顕著なものということはできない。
キ．したがって、本願補正発明は、引用発明、引用例４、引用例５に記載されている事項、及び周知技術に基いて、当業者が容易に発明をすることができたものであり、特許法第２９条第２項の規定により、特許出願の際独立して特許を受けることができないものである。
（５）本件補正についてのむすび
　よって、本件補正は、特許法第１７条の２第６項において準用する同法第１２６条第７項の規定に違反してなされたものであるから、同法第１５９条第１項において読み替えて準用する同法第５３条第１項の規定により却下すべきものである。
第３ 本願発明について
１ 本願発明
　平成２６年６月２５日の手続補正は、上記のとおり却下されたので、本願の請求項に係る発明は、平成２５年９月２４日の手続補正書の特許請求の範囲の請求項１ないし３に記載された事項により特定されるものであるところ、その請求項１に係る発明（以下「本願発明」という。）は、明細書及び図面の記載からみて、その請求項１に記載された事項により特定される、前記第２［理由］１（２）に記載のとおりのものである。
２ 刊行物
　原査定の拒絶の理由で引用された引用文献２（本審決における引用例１）、その記載事項、及び引用発明は、前記第２［理由］２（２）に記載したとおりである。
３ 対比・判断
　本願発明は、前記第２［理由］２で検討した本願補正発明から、「前記導光ボディ部は、前記入光面の一辺及び前記対向面の一辺を接続して光が出射される出射面と前記出射面と対向して光を反射させる反射面とを含み、
　前記出射面には、前記第１方向に沿って長く延長され前記第１方向と実質的に直交する第２方向に沿って並列に配置された複数の第１プリズムパターンが形成され、
　前記反射面には前記第２方向に沿って長く延長され前記第１方向に沿って並列に配置された複数の第２プリズムパターンが形成され、
　前記複数の第２プリズムパターンは前記光導入ボディ部の下段面にも形成される」に係る限定事項を除外したものに相当するから、一致点及び相違点は次のとおりとなる。
　なお、「前期」は「前記」の明らかな誤記であると認められる。
【一致点】
　第１の方向に沿って並列に配置され、その各々が、一側から他側に行くにつれて厚さが減少するくさび形状を有する導光板と該導光板の側面と対向するように配置された光源ユニットとを含む複数の導光ブロックと、
　前記導光ブロックの光源ユニットを各々個別に駆動させて発光させる光源駆動ユニットとを有し、
　前記光源ユニットは少なくとも一つの発光ユニットを含み、前記発光ユニットは前記導光板の側面と対向するように配置され、
　前記導光板は、
　入光面から前記入光面と対向する対向面に行くにつれて厚さが減少するくさび形状を有する導光ボディ部と、
　前記導光ボディ部の入光面から突出し前記発光ユニットと対向するように配置された光導入ボディ部とを含む、バックライトアセンブリ。
【相違点１】
　本願発明では、複数の導光ブロックが、「収納底部、及び前記収納底部の端部から上側に延長された収納側部を含む収納容器」の「収納容器内」に配置され、光源駆動ユニットが、「収納容器の外側に配置され」ているのに対して、引用発明では、それらがどこに配置されているか特定されていない点。
【相違点２】
　本願発明では、光源駆動ユニットが光源ユニットを「領域輝度制御（ｌｏｃａｌ　ｄｉｍｍｉｎｇ）方式」で発光させるものであるのに対して、引用発明では、領域輝度制御方式で発光させるものか特定されていない点。
【相違点３】
　発光ユニットが、本願発明では、「駆動基板」に配置されているのに対して、引用発明では、そのような特定がされていない点。
　相違点１ないし３は前記第２［理由］２（３）に記載した相違点１ないし３と同じであり、同相違点１ないし３については、前記［理由］２（４）において検討したとおり、当業者が容易に想到し得たことである。
　そうであるから、本願発明は、引用発明及び周知技術に基づいて、当業者が容易に発明することができたものである。
＜付記：平成２６年１０月１６日付け上申書について＞
　審判請求人は、平成２６年１０月１６日に提出した上申書において、再度の補正の機会を求めるとともに、特許請求の範囲の補正案を提示している。
　しかしながら、さらに補正の機会を与える合理的理由は見いだせないから、補正の機会を与えることはしない。
　なお、仮に補正案のとおり請求項１を補正したとしても、光源ユニットに赤色、緑色、及び青色発光ダイオードを用いることは周知技術であるし、各発光ダイオードについて電気的に直列に接続することも当業者が適宜なし得る設計事項にすぎないので、拒絶の理由は解消しないことを付記する。
第４ むすび
　以上のとおり、本願発明は、引用発明及び周知技術に基いて当業者が容易に発明をすることができたものであるから、特許法第２９条第２項の規定により特許を受けることができない。
　したがって、その余の請求項に係る発明について論及するまでもなく、本願は拒絶すべきものである。
　よって、結論のとおり審決する。